(57)【要約】【課題】  少ない部品点数で確実にノズル面のクリーニングを可能にするクリーニング機構を備えたインクジェットプリンタを提供する。【解決手段】  被払拭部を払拭する長尺状のシートであるワイピング部材が巻き回して収納されたカセットが搭置されて移動する部材であり、ワイピング部材は巻き回して収納されたワイピング部材であるシートロールが所定の方向へ回転することにより、被払拭部を払拭可能な位置へ進出させられ、ワイピング部材巻き取り領域において、駆動源は、カセットキャリアをガイド部に沿って直線的に移動させ、カセットキャリアの直線的移動の動力が変換部材により回転動作の動力に変換されることで、被払拭部を払拭可能な位置へワイピング部材が進出させられる方向へシートロールが回転させられることを特徴とする払拭装置。【選択図】図１
2020203441.tif 000002
【特許請求の範囲】
【請求項１】
被払拭部を払拭する長尺状のシートであるワイピング部材が巻き回して収納されたカセットが搭置されて移動する部材であり、前記ワイピング部材を巻き取る領域であるワイピング部材巻き取り領域と、前記被払拭部を払拭する領域であるワイピング動作領域との間で直線的に移動するカセットキャリアと、
前記ワイピング部材巻き取り領域と前記ワイピング動作領域との間で移動可能に前記カセットキャリアを支持するガイド部を有する支持部材と、
前記ワイピング部材巻き取り領域と前記ワイピング動作領域との間で前記ガイド部に沿って前記カセットキャリアを移動させる駆動源と、
前記カセットキャリアの直線的移動の動力を回転動作の動力に変換する変換部材と
を備え、
前記ワイピング部材は、前記巻き回して収納された前記ワイピング部材であるシートロールが所定の方向へ回転することにより、前記被払拭部を払拭可能な位置へ進出させられ、
前記ワイピング部材巻き取り領域において、前記駆動源は、前記カセットキャリアを前記ガイド部に沿って直線的に移動させ、前記カセットキャリアの直線的移動の動力が前記変換部材により前記回転動作の動力に変換されることで、前記被払拭部を払拭可能な位置へ前記ワイピング部材が進出させられる方向へ前記シートロールが回転させられることを特徴とする払拭装置。
【請求項２】
前記駆動源は、前記ワイピング部材巻き取り領域と前記ワイピング動作領域との間で前記カセットキャリアを往復移動させ、
前記変換部材は、前記シートロールを前記変換部材により回転させるかどうかを前記ワイピング部材巻き取り領域での前記カセットキャリアの移動方向によって異ならせる継断機構を有し、
前記継断機構は、
前記ワイピング巻き取り領域において第一方向への直線的移動を前記カセットキャリアに行わせるときには、前記被払拭部を払拭可能な位置へ前記ワイピング部材が進出させられる方向へ、前記変換部材により前記シートロールを回転させ、
且つ、
前記ワイピング巻き取り領域において第一方向と反対方向である第二方向への直線的移動を前記カセットキャリアに行わせるときには、前記第二方向への直線的移動にかかわらず、前記被払拭部を払拭可能な位置へ進出した前記ワイピング部材が後退させられる方向への前記シートロールの回転を阻止することを特徴とする請求項１に記載の払拭装置。
【請求項３】
前記継断機構は、
太陽歯車と、
該太陽歯車に噛合されて回転する遊星歯車と、
該遊星歯車の径方向への移動を規制するとともに周方向への移動を許容する空間を有し、該空間で前記遊星歯車を支持する遊星歯車支持歯車と
を有し、
前記空間は、前記カセットキャリアを前記第一方向へ前記直線的移動させるときに前記空間内の遊星歯車が一方側から他方側に移動して前記遊星歯車に係合して該遊星歯車の回転を阻止する阻止部を有し、
前記阻止部が前記遊星歯車に係合して、該遊星歯車の回転が阻止されると、前記太陽歯車の回転に伴って遊星歯車支持歯車が回転して、前記巻回して収納された前記ワイピング部材が被払拭部を払拭可能な位置まで巻回され、
且つ、
前記カセットキャリアを前記第一方向とは反対方向である前記第二方向に直線的移動をさせるときに、前記空間内の前記遊星歯車が前記他方側から前記一方側へ移動して、前記遊星歯車の回転を許容し、前記太陽歯車の回転に伴って、前記遊星歯車が自由回転することで該遊星歯車の回転が前記遊星歯車支持歯車に伝達されずに、前記巻回して収納された前記ワイピング部材の回転が阻止され、前記ワイピング部材が前記被払拭部を払拭可能な位置で保持されることを特徴とする請求項２に記載の払拭装置。
【請求項４】
前記駆動源は、前記ワイピング部材巻き取り領域と前記ワイピング動作領域との間で前記カセットキャリアを往復移動させ、
前記変換部材は、前記シートロールの回転方向を所定の一方向に維持する回転方向維持機構を有し、
前記回転方向維持機構は、前記ワイピング部材巻き取り領域での前記カセットキャリアの移動方向によらず、前記シートロールを同じ方向に回転させることにより、
前記ワイピング巻き取り領域において第一方向への直線的移動を前記カセットキャリアに行わせるときには、前記被払拭部を払拭可能な位置へ前記ワイピング部材が進出させられる方向へ、前記変換部材により前記シートロールを回転させ、
且つ、
前記ワイピング巻き取り領域において第一方向と反対方向である第二方向への直線的移動を前記カセットキャリアに行わせるときにも、前記第二方向への直線的移動にかかわらず、前記被払拭部を払拭可能な位置へ前記ワイピング部材が進出させられる方向へ、前記変換部材により前記シートロールを回転させることを特徴とする請求項１に記載の払拭装置。
【請求項５】
請求項１から請求項４のうちのいずれか一項に記載の払拭装置を備えたインクジェットプリンタ。
【発明の詳細な説明】
【技術分野】
【０００１】
本発明は簡単な構造でノズル面を清浄にするワイピング機構を備えるインクジェットプリンタに関する。
【背景技術】
【０００２】
インク等の液体を吐出するヘッドを有するインクジェットプリンタは、その液体を吐出するノズルが配設されたノズル面を清浄に保つことで、印刷の品質が向上する。
【０００３】
図７は従来のインクジェットプリンタ１０１におけるノズル面クリーニング機構の態様の説明図である。インクジェットプリンタ１０１においてヘッド部１０５は、Ｙ方向延伸部材（Ｙバー）１０７上を走査され、インク等の液体の吐出をおこなう複数のインクジェットヘッド１１５を有する。ヘッド部１０５と対向して載置台１１７が配設される。載置台１１７の上には被印刷体１０９が載置され、インクジェットヘッド１１５から吐出されるインク等により印刷される。ヘッド部１０５や被印刷体１０９等の動作は制御部１２９によって制御される。ヘッド部１０５が、ノズル面クリーニング領域１２１において、Ｘ方向に移動される際にノズル面１１１をワイパー１１３によって払拭することでノズル面を清浄に保つ方法が知られている。具体的には例えばヘッド部１０５のノズル面１１１をワイパー１１３に接触した状態で移動させることで、ノズル面１１１に付着したインク等を拭う仕組みである。
【０００４】
上記した単純なワイパー機構の他にも、ノズル面１１１を払拭するクリーニング機構については様々な技術が提案されている。例えば、払拭するための布が巻かれた筒が駆動装置により適宜回転することで、清浄な布部を露出させてノズル面１１１を拭くという技術も公知になっている（例えば特許文献１参照）。
【先行技術文献】
【特許文献】
【０００５】
【特許文献１】特許第５８９９８４０号公報
【特許文献２】国際公開第２００６／０７５７０４号
【発明の概要】
【発明が解決しようとする課題】
【０００６】
ヘッド部を固定した状態で、クリーニング機構を移動させる場合には、クリーニング機構を移動させる駆動装置と、ノズル面を払拭するワイピング部材の新たな面を露出させるための駆動装置の二つが必要になる場合がある。そのように駆動装置が複数になると、それぞれの制御が複雑になる他、部品点数の増大によるコスト高につながり好ましくない。
また特許文献１記載の技術では、駆動装置は一つで済むものの複雑な遊星歯車の切替え機構が必要になり故障しやすいなどの課題がある。
【０００７】
本発明は上記課題を鑑みてなされたものであり、少ない部品点数で確実にノズル面のクリーニングを可能にするクリーニング機構を備えたインクジェットプリンタを提供することを目的とする。
【課題を解決するための手段】
【０００８】
インクジェットプリンタにおいて、インク等を吐出するノズルのノズル孔が多数配設されるヘッド部のノズル面は、余剰のインク等が付着する可能性があり、そのままにしておくとノズル孔の閉塞や混色などの原因となり印刷品質を劣化させることに繋がる。ノズル面を清浄に保つために、クリーニング機構を設ける事が一般になされているが、駆動装置が複数必要であったり、機構が複雑であったりすると、コスト面やメンテナンスの容易性に問題が生じる。そこで本発明では、一つの駆動装置と回転運動の継断機構を組み合わせることで、クリーニング機構の移動と、ワイピング部材の繰り出し制御を両立させることとする。
【０００９】
（１）本発明は、被払拭部を払拭する長尺状のシートであるワイピング部材が巻き回して収納されたカセットが搭置されて移動する部材であり、前記ワイピング部材を巻き取る領域であるワイピング部材巻き取り領域と、前記被払拭部を払拭する領域であるワイピング動作領域との間で直線的に移動するカセットキャリアと、前記ワイピング部材巻き取り領域と前記ワイピング動作領域との間で移動可能に前記カセットキャリアを支持するガイド部を有する支持部材と、前記ワイピング部材巻き取り領域と前記ワイピング動作領域との間で前記ガイド部に沿って前記カセットキャリアを移動させる駆動源と、前記カセットキャリアの直線的移動の動力を回転動作の動力に変換する変換部材とを備え、前記ワイピング部材は、前記巻き回して収納された前記ワイピング部材であるシートロールが所定の方向へ回転することにより、前記被払拭部を払拭可能な位置へ進出させられ、前記ワイピング部材巻き取り領域において、前記駆動源は、前記カセットキャリアを前記ガイド部に沿って直線的に移動させ、前記カセットキャリアの直線的移動の動力が前記変換部材により前記回転動作の動力に変換されることで、前記被払拭部を払拭可能な位置へ前記ワイピング部材が進出させられる方向へ前記シートロールが回転させられることを特徴とする払拭装置を提供する。
【００１０】
上記（１）に記載する発明によれば、メンテナンスが容易な簡単な機構と一つの駆動源によって、ノズル面を払拭するワイピング部材を有するカセットキャリアの移動と、ワイピング部材の巻き取りを同時に可能にするという優れた効果を奏しうる。
【００１１】
（２）本発明は、前記駆動源は、前記ワイピング部材巻き取り領域と前記ワイピング動作領域との間で前記カセットキャリアを往復移動させ、前記変換部材は、前記シートロールを前記変換部材により回転させるかどうかを前記ワイピング部材巻き取り領域での前記カセットキャリアの移動方向によって異ならせる継断機構を有し、前記継断機構は、前記ワイピング巻き取り領域において第一方向への直線的移動を前記カセットキャリアに行わせるときには、前記被払拭部を払拭可能な位置へ前記ワイピング部材が進出させられる方向へ、前記変換部材により前記シートロールを回転させ、且つ、前記ワイピング巻き取り領域において第一方向と反対方向である第二方向への直線的移動を前記カセットキャリアに行わせるときには、前記第二方向への直線的移動にかかわらず、前記被払拭部を払拭可能な位置へ進出した前記ワイピング部材が後退させられる方向への前記シートロールの回転を阻止することを特徴とする上記（１）に記載の払拭装置を提供する。
【００１２】
上記（２）に記載する発明によれば、継断機構を設けることでカセットキャリアの移動方向の変化に伴って、ワイピング部材の巻き取りの有無、具体的にはシートロールの回転の許容と阻止を制御することができるため，少ない部品点数と一つの駆動源だけで、カセットキャリアの移動とワイピング部材の適切な巻き取りができるという優れた効果を奏しうる。
【００１３】
（３）本発明は、前記継断機構は、太陽歯車と、該太陽歯車に噛合されて回転する遊星歯車と、該遊星歯車の径方向への移動を規制するとともに周方向への移動を許容する空間を有し、該空間で前記遊星歯車を支持する遊星歯車支持歯車とを有し、前記空間は、前記カセットキャリアを前記第一方向へ前記直線的移動させるときに前記空間内の遊星歯車が一方側から他方側に移動して前記遊星歯車に係合して該遊星歯車の回転を阻止する阻止部を有し、前記阻止部が前記遊星歯車に係合して、該遊星歯車の回転が阻止されると、前記太陽歯車の回転に伴って遊星歯車支持歯車が回転して、前記巻回して収納された前記ワイピング部材が被払拭部を払拭可能な位置まで巻回され、且つ、前記カセットキャリアを前記第一方向とは反対方向である前記第二方向に直線的移動をさせるときに、前記空間内の前記遊星歯車が前記他方側から前記一方側へ移動して、前記遊星歯車の回転を許容し、前記太陽歯車の回転に伴って、前記遊星歯車が自由回転することで該遊星歯車の回転が前記遊星歯車支持歯車に伝達されずに、前記巻回して収納された前記ワイピング部材の回転が阻止され、前記ワイピング部材が前記被払拭部を払拭可能な位置で保持されることを特徴とする上記（２）に記載の払拭装置を提供する。
【００１４】
上記（３）に記載する発明は、継断機構として例えば一方向クラッチを備えることで、ピニオンギアとラックギアという簡素な機構だけで、カセットキャリアの移動方向によってワイピング部材の巻き取りへの回転運動の伝達の有無を切り替えられるという優れた効果を奏しうる。
【００１５】
（４）本発明は、前記駆動源は、前記ワイピング部材巻き取り領域と前記ワイピング動作領域との間で前記カセットキャリアを往復移動させ、前記変換部材は、前記シートロールの回転方向を所定の一方向に維持する回転方向維持機構を有し、前記回転方向維持機構は、前記ワイピング部材巻き取り領域での前記カセットキャリアの移動方向によらず、前記シートロールを同じ方向に回転させることにより、前記ワイピング巻き取り領域において第一方向への直線的移動を前記カセットキャリアに行わせるときには、前記被払拭部を払拭可能な位置へ前記ワイピング部材が進出させられる方向へ、前記変換部材により前記シートロールを回転させ、且つ、前記ワイピング巻き取り領域において第一方向と反対方向である第二方向への直線的移動を前記カセットキャリアに行わせるときにも、前記第二方向への直線的移動にかかわらず、前記被払拭部を払拭可能な位置へ前記ワイピング部材が進出させられる方向へ、前記変換部材により前記シートロールを回転させることを特徴とする上記（１）に記載の払拭装置を提供する。
【００１６】
上記（４）に記載する発明は、回転方向維持機構を備えることで、ピニオンギアとラックギアという簡素な機構だけで、カセットキャリアの移動方向によってワイピング部材の巻き取りへの回転運動の伝達の有無を切り替えられるという優れた効果を奏しうる。
（５）本発明は、上記（１）乃至上記（４）のうちのいずれかに記載の払拭装置を備えたインクジェットプリンタを提供する。
【００１７】
上記（５）に記載する発明によれば、ワイピング動作領域ではワイピング部材が固定され、ワイピング部材巻き取り領域ではワイピング部材が巻き取られて新たな払拭布が繰り出されるので、ワイピング部材が最適な状態でノズル面を払拭できるインクジェットプリンタを実現できるという優れた効果を奏しうる。
【発明の効果】
【００１８】
本発明の請求項１〜４に記載の払拭装置によればメンテナンスが容易な簡単な機構と一つの駆動源で、ノズル面を払拭するワイピング部材を有するカセットキャリアの移動と、ワイピング部材の巻き取りを同時に可能にするという優れた効果を奏しうる。また請求項５に記載のインクジェットプリンタによれば、メンテナンスが容易で、ワイピング部材が最適な状態でノズル面を払拭できるインクジェットプリンタを実現できるという優れた効果を奏しうる。
【図面の簡単な説明】
【００１９】
【図１】（Ａ）本発明の実施形態に係るインクジェットプリンタの説明図である。（Ｂ）ノズル面を清浄にするノズル面クリーニング機構の斜視図である。
【図２】ノズル面クリーニング機構を下方から仰ぎ見た説明図である。
【図３】（Ａ）ノズル面を払拭するワイピング部材を有するカセットキャリアの斜視図である。（Ｂ）カセットキャリアを下方から仰ぎ見た説明図である。
【図４】（Ａ）ノズル面クリーニング機構のワイピング動作領域における動作の説明図である。（Ｂ）ノズル面クリーニング機構のワイピング部材巻き取り領域において、ワイピング部材が巻き取られる動作の説明図である。（Ｃ）ノズル面クリーニング機構のワイピング巻き取り領域における動作で、ワイピング部材が固定された状態でカセットキャリアがワイピング動作領域向きに移動する態様の説明図である。
【図５】一方向クラッチを構成する歯車機構の説明図である。
【図６】（Ａ）太陽歯車が反時計回り（実線矢印向き）に回転したとき、遊星歯車は回転しながら空間内を移動し、爪部に引っかかってロックした状態になって、爪部を有する遊星歯車ロック用歯車を反時計回り（破線矢印向き）に回転させる。（Ｂ）太陽歯車が時計回りにしたとき、遊星歯車は回転しながら空間内を移動するがロックされないため、回転運動は遊星歯車ロック用歯車に伝達されない。
【図７】従来のインクジェットプリンタの説明図である。
【発明を実施するための形態】
【００２０】
以下、本発明の実施の形態について添付図面を参照して説明する。
【００２１】
図１〜図６は発明を実施する形態の一例であって、図中、同一の符号を付した部分は同一物を表わす。なお、各図において一部の構成を適宜省略して、図面を簡略化する。そして、部材の大きさ、形状、厚みなどを適宜誇張して表現する。
【００２２】
図１（Ａ）は、本発明の実施形態に係るインクジェットプリンタ１の説明図である。インクジェットプリンタ１は、インク等の液体を吐出するインクジェットヘッド１５を複数有するヘッド部５を備える。ヘッド部５は、インク等の液体を吐出するノズルが配設されるノズル面１１を有する。インクジェットプリンタ１は、Ｙ方向に延設されるＹ方向延伸部材（Ｙバー）７を有し、ヘッド部５はＹ方向延伸部材（Ｙバー）７に沿って、載置台１７上に載置された被印刷体９に対向して走査され、印刷が行われる。
【００２３】
インクジェットプリンタ１はノズル面クリーニング領域２１を備え、ノズル面クリーニング領域２１には、ヘッド部５のノズル面１１を払拭するワイピング部材３１を有するカセット４０が載置されるカセットキャリア３５が備えられる。インクジェットプリンタ１の全体の制御は、制御部２９によって行われる。
【００２４】
ここで制御部２９はＣＰＵ、ＲＡＭおよびＲＯＭなどから構成され、各種制御を実行する。ＣＰＵはいわゆる中央演算処理装置であり、各種プログラムが実行されて様々な機能を実現する。ＲＡＭはＣＰＵの作業領域、記憶領域として使用され、ＲＯＭはＣＰＵで実行されるオペレーティングシステムやプログラムを記憶する。
【００２５】
図１（Ｂ）は、ノズル面１１を清浄にするノズル面クリーニング機構３０の斜視図である。ノズル面クリーニング機構３０は、ノズル面クリーニング領域２１（図１（Ａ）参照）に配設され、ヘッド部５の鉛直方向下部に置かれる。ノズル面クリーニング機構３０は、ノズル面１１を払拭するワイピング部材３１を有するカセット４０が載置されて移動するカセットキャリア３５と、カセットキャリア３５をノズル面１１と平行方向に移動可能に案内するガイド部４６と、ガイド部４６を支持する支持部材４５が固定される台座４７を有する。ガイド部４６はＸ方向に二本延設され、カセットキャリア３５は支持部材４５に支持されるガイド部４６に沿って案内されてＸ方向に移動される。
【００２６】
ノズル面クリーニング機構３０には、ワイピング部材３１を巻き取る領域であるワイピング部材巻き取り領域７５（後述する図４（Ａ）参照）と、ノズル面１１を払拭する領域であるワイピング動作領域８０（後述する図４（Ａ）参照）を備える。
【００２７】
カセットキャリア３５は、ワイピング部材３１を巻き取る巻き取りギア５３（後述する図５参照）と、巻き取りギア５３に回転運動を伝達するピニオンギア５０を有する。そして台座４７には、ピニオンギア５０と噛合されてピニオンギア５０を回転させるラックギア５５が配設される。
【００２８】
図２は、ノズル面クリーニング機構３０を下方から仰ぎ見た説明図である。ノズル面クリーニング機構３０の台座４７には、駆動源６０が配設され、駆動源６０にはカセットキャリア移動用ピニオンギア６５が固定される。駆動源６０はステッピングモーターが好ましい。駆動源６０は制御部２９（図１（Ａ）参照）によって制御される。カセットキャリア３５の下部にはカセットキャリア移動用ラックギア７０が配設され、カセットキャリア移動用ピニオンギア６５と噛合されて、駆動源６０の駆動力によりカセットキャリア３５をＸ方向に移動させる。
【００２９】
図３（Ａ）は、ノズル面１１を払拭するワイピング部材３１を有するカセット４０の斜視図である。カセット４０の上面中央部にはシートロール３３（図示省略）から送り出されるワイピング部材３１が配置され、ノズル面１１とワイピング部材３１が接触することでノズル面１１を清浄に払拭する。ワイピング部材３１は筒状のシートロール３３から送られる長尺の布状体が好ましい。所定回数に渡ってノズル面１１を払拭したならば、カセット４０に内蔵される巻き取りギア５３（後述する図５参照）によって巻き取られ、新たな布部が露出する仕組みを持つことが望ましい。このとき巻き取りギア５３へはピニオンギア５０から回転運動が伝達されて巻き取り動作をおこなう。
【００３０】
図３（Ｂ）は、カセットキャリア３５を下方から仰ぎ見た説明図である。ワイピング部材３１は、ノズル面１１を払拭する布状体を有し、ピニオンギア５０から伝達された回転力によりワイピング部材を巻き取る巻き取りギア５３（図示省略）が回転してワイピング部材３１を巻き取って、新たな払拭面を露出させる。
【００３１】
図４（Ａ）は、ノズル面クリーニング機構３０のワイピング動作領域８０における動作の説明図である。ヘッド部５の下にカセット４０が入り込む形で、カセットキャリア３５がガイド部４６に案内されてＸ方向負の向きに移動される。このときインク等の液体を吐出するインクジェットヘッド１５を有するヘッド部５の下面部であるノズル面１１は、シートロール３３に巻かれたワイピング部材３１に接触されて払拭される。このときシートロール３３は回転せず固定されている。具体的には図中の白抜き矢印向き、すなわちワイピング部材巻き取り領域７５側からワイピング動作領域８０側へカセットキャリア３５が移動し、ワイピング部材３１がノズル面１１を清浄に払拭する。カセットキャリア３５が逆方向、すなわちＸ方向正の向きに移動される場合にもノズル面１１を払拭して良い。
【００３２】
図４（Ｂ）は、ノズル面クリーニング機構３０のワイピング部材巻き取り領域７５において、ワイピング部材３１が巻き取られる動作の説明図である。このときカセットキャリア３５は、ワイピング動作領域８０からワイピング部材巻き取り領域７５方向（第二方向：図中Ｘ方向正の向き）に移動される。カセットキャリア３５がワイピング部材巻き取り領域７５に移動されると、ワイピング部材巻き取り領域７５に配設されたラックギア５５と、カセット４０に取り付けられたピニオンギア５０が噛合し、ピニオンギア５０が回転する。すなわちカセットキャリア３５の直線的移動を回転運動に変換させる変換部材としてラックギア５５と５０は機能する。さてワイピング部材３１に回転運動を伝達する巻き取りギア５３と、ピニオンギア５０の間には、回転運動の継断機構として、例えば一方向クラッチ１００（後述する図５および図６参照）が配設され、一方向クラッチ１００は、カセットキャリア３５が、ワイピング動作領域８０からワイピング部材巻き取り領域７５に向かう第二方向では、ピニオンギア５０から巻き取りギア５３（後述する図５参照）に回転運動を伝達する。巻き取りギア５３が回転すると、ワイピング部材３１が巻き取られて新たな払拭面が露出される。
【００３３】
図４（Ｃ）は、ノズル面クリーニング機構３０のワイピング巻き取り領域７５における動作で、シートロール３３（図４（Ａ）参照）が固定された状態のカセットキャリア３５が、ワイピング部材巻き取り領域７５からワイピング動作領域８０方向（第一方向：図中Ｘ方向負の向き）に移動する態様の説明図である。ラックギア５５に噛合されるピニオンギア５０は、図中時計廻りに回転するが一方向クラッチ１００は、ワイピング部材巻き取り領域７５からワイピング動作領域８０に向かう第一方向では、ピニオンギア５０から巻き取りギア５３に回転運動を伝達せず、シートロール３３は固定された状態のまま、すなわちワイピング部材も送られない状態で、カセットキャリア３５が移動する。
【００３４】
以上、図４（Ａ）〜図４（Ｃ）に示した動作をまとめて説明すると被払拭部であるノズル面１１を払拭する長尺状のシートであるワイピング部材３１が巻き回して収納されたカセット４０が搭置されて移動する部材であり、ワイピング部材３１を巻き取る領域であるワイピング部材巻き取り領域７５と、払拭部を払拭する領域であるワイピング動作領域８０との間で直線的に移動するカセットキャリア３５（図２参照）と、ワイピング部材巻き取り領域７５とワイピング動作領域８０との間で移動可能にカセットキャリア３５を支持するガイド部４５を有する支持部材と、ワイピング部材巻き取り領域７５とワイピング動作領域８０との間でガイド部４５に沿ってカセットキャリア３５を移動させる駆動源６０（図２参照）と、カセットキャリア３５の直線的移動の動力を回転動作の動力に変換する変換部材とを備え、ワイピング部材３１は、巻き回して収納されたワイピング部材３１であるシートロール３３が所定の方向へ回転することにより、被払拭部を払拭可能な位置へ進出させられ、ワイピング部材巻き取り領域７５において、駆動源６０は、カセットキャリア３５をガイド部４５に沿って直線的に移動させ、カセットキャリア３５の直線的移動の動力が変換部材により回転動作の動力に変換されることで、被払拭部を払拭可能な位置へワイピング部材３１が進出させられる方向へシートロール３３が回転させられる。
【００３５】
図５は、継断機構である一方向クラッチ１００を構成する歯車機構の説明図である。歯車機構は、条件が整ったときに、ピニオンギア５０から巻き取りギア５３に回転運動を伝達する役目を果たす。
【００３６】
一方向クラッチ１００は、ピニオンギア５０に固定支持される太陽歯車９０と、遊星歯車ロック用歯車９５と、遊星歯車ロック用歯車９５に支持され自由に回転し得る遊星歯車８５を備える。遊星歯車ロック用歯車９５は、一方向、例えば反時計廻りに回転する場合に、噛合される遊星歯車８５をロックし、逆方向、例えば時計廻りに回転する場合に遊星歯車８５をロックしないロックピンである爪部（阻止部）９７を備える（後述する図６参照）。太陽歯車９０とピニオンギア５０は、駆動軸で固定接続される。
【００３７】
一方向クラッチ１００は、例えば図４（Ｂ）におけるカセットキャリア３５の移動方向、すなわちワイピング動作領域８０からワイピング部材巻き取り領域７５へカセットキャリア３５が移動する場合に、図４（Ｂ）中、反時計廻りにピニオンギア５０が回転するときに、遊星歯車８５が遊星歯車ロック用歯車９５にロックされて、ピニオンギア５０の回転運動は、太陽歯車９０と遊星歯車８５を介して遊星歯車ロック用歯車９５に伝えられる。そして遊星歯車ロック用歯車９５から巻き取りギア５３に回転運動が伝達され、ワイピング部材３１（図４（Ｂ）参照）が巻き取られる。
【００３８】
逆に、一方向クラッチ１００は、図４（Ｃ）におけるカセットキャリア３５の移動方向、ワイピング部材巻き取り領域７５からワイピング動作領域８０へセットキャリア３５が移動する場合に、図４（Ｃ）中、時計廻りにピニオンギア５０が回転する時に、遊星歯車８５は、空間９６内を遊星歯車ロック用歯車９５の爪部９７とは逆側に移動するので、爪部９７でロックされずに、そのまま自由回転する（後述する図６（Ｂ）参照）。したがってピニオンギア５０の回転運動は、遊星歯車ロック用歯車９５に伝達されず、ワイピング部材３１は結果的に巻き取られず固定された状態のままに置かれる。
【００３９】
図６（Ａ）は、一方向クラッチ１００の詳細図を示す。太陽歯車９０が反時計回り（実線矢印向き）に回転されたとき、遊星歯車８５は回転しながら空間９６内を爪部９７側に移動し、爪部９７に引っかかってロックした状態になって、爪部９７を有する遊星歯車ロック用歯車９５を反時計回り（破線矢印向き）に回転させる。
【００４０】
図６（Ｂ）は、太陽歯車９０が時計回りに回転されたときの一方向クラッチ１００を示す。遊星歯車８５は空間９６内を移動して爪部９７の逆側に位置するため、ロックされず、破線矢印のように自由回転する。したがって太陽歯車９０の回転運動は遊星歯車ロック用歯車９５に伝達されない。
【００４１】
回転運動をワイピング部材の巻き取りギアへ伝達するかどうかについての継断機構としては、図６（Ａ）および図６（Ｂ）で示した遊星歯車機構を有する一方向クラッチに変えて、例えば周方向の所定位置のみに歯部が形成された欠歯車を有する回転方向維持機構を用いても良い（特許文献２参照）。
【００４２】
本発明の実施形態に係るインクジェットプリンタが有する払拭装置によれば、メンテナンスが容易な簡単な機構と一つの駆動源でノズル面を払拭するワイピング部材を有するカセットキャリアの移動と、ワイピング部材の巻き取りを同時に可能にするという優れた効果を奏しうる。
【００４３】
本発明の実施形態に係るインクジェットプリンタが有する払拭装置によれば、継断機構を設けることでカセットキャリアの移動方向の変化に伴って、ワイピング部材の巻き取りの有無、具体的にはシートロールの回転の許容と阻止を制御することができるため，少ない部品点数と一つの駆動源だけで、カセットキャリアの移動とワイピング部材の適切な巻き取りができるという優れた効果を奏しうる。
【００４４】
本発明の実施形態に係るインクジェットプリンタが有する払拭装置によれば、一方向クラッチを備えることで、ピニオンギアとラックギアという簡素な機構だけで、カセットキャリアの移動方向によってワイピング部材の巻き取りへの回転運動の伝達の有無を切り替えられるという優れた効果を奏しうる。
【００４５】
本発明の実施形態に係るインクジェットプリンタが有する払拭装置によれば、回転方向維持機構を備えることで、ピニオンギアとラックギアという簡素な機構だけで、カセットキャリアの移動方向によってワイピング部材の巻き取りへの回転運動の伝達の有無を切り替えられるという優れた効果を奏しうる。
【００４６】
本発明の実施形態に係るインクジェットプリンタによれば、ワイピング動作領域ではワイピング部材が固定され、ワイピング部材巻き取り領域ではワイピング部材が巻き取られて新たな払拭布が繰り出されるので、ワイピング部材が最適な状態でノズル面を払拭できるインクジェットプリンタを実現できるという優れた効果を奏しうる。
【００４７】
尚、本発明に係る払拭装置およびインクジェットプリンタは、上記した実施の形態に限定されるものではなく、本発明の要旨を逸脱しない範囲内において種々変更を加え得ることは勿論である。
【符号の説明】
【００４８】
１    インクジェットプリンタ
５    ヘッド部
７    Ｙ方向延伸部材（Ｙバー）
９    被印刷体
１５    インクジェットヘッド
１７    載置台
２１    ノズル面クリーニング領域
２９    制御部
３１    ワイピング部材
３３    シートロール
３５    カセットキャリア
４０    カセット
４５    支持部材
４６    ガイド部
５０    ピニオンギア
５３    巻き取りギア
５５    ラックギア
６０    駆動源
６５    カセットキャリア移動用ピニオンギア
７０    カセットキャリア移動用ラックギア
７５    ワイピング部材巻き取り領域
８０    ワイピング動作領域
８５    遊星歯車
９０    太陽歯車
９５    遊星歯車ロック用歯車
９６    空間
９７    爪部（阻止部）
１００    一方向クラッチ
１０１    インクジェットプリンタ
１０５    ヘッド部
１０７    Ｙ方向延伸部材（Ｙバー）
１０９    被印刷体
１１１    ノズル面
１１３    ワイパー
１１５    インクジェットヘッド
１１７    載置台
１２１    ノズル面クリーニング領域
１２９    制御部
【図１】
2020203441.tif 000003
【図２】
2020203441.tif 000004
【図３】
2020203441.tif 000005
【図４】
2020203441.tif 000006
【図５】
2020203441.tif 000007
【図６】
2020203441.tif 000008
【図７】
2020203441.tif 000009